【手続補正書】
【提出日】平成16年6月4日(2004.6.4)
【手続補正１】
【補正対象書類名】明細書
【補正対象項目名】特許請求の範囲
【補正方法】変更
【補正の内容】
【特許請求の範囲】
【請求項１】
記憶媒体から画像データを再生する再生手段と、
前記再生手段で再生する前記画像データの再生時間を計測する計測手段と、
前記再生時間を所定時間と比較する比較手段と、
前記再生時間が前記所定時間より長い場合に、前記再生手段で再生された再生画像データに特殊効果処理を施す特殊効果処理手段
とを具備することを特徴とする画像再生装置。
【請求項２】
前記特殊効果処理手段に対して特殊効果の選択及び／または決定を行う操作手段と、前記所定時間より前記再生時間が短い場合に、前記操作手段の操作を制限する操作制限手段とを具備することを特徴とする請求項１に記載の画像再生装置。
【請求項３】
前記操作手段は、前記記憶媒体に記憶された複数の画像データから再生する画像データを選択可能であって、前記比較手段の結果から前記所定時間より再生時間が短い画像データに対してのみ、前記操作制限手段が前記操作手段の操作を制限することを特徴とする請求項２に記載の画像再生装置。
【請求項４】
前記画像データには音声データが含まれ、音声データ共に特殊効果が可能なことを特徴とする請求項１に記載の画像再生装置。
【請求項５】
前記特殊効果処理手段は特殊効果処理を複数選択設定できることを特徴とする請求項１に記載の画像再生装置。
【請求項６】
前記所定時間は、適用される特殊効果処理に応じて設定されることを特徴とする請求項１に記載の画像再生装置。
【請求項７】
前記特殊効果処理がフェード効果を含むことを特徴とする請求項１に記載の画像再生装置。
【請求項８】
前記記憶媒体はランダムアクセスメモリであることを特徴とする請求項１に記載の画像再生装置。
【請求項９】
記憶媒体から動画像を再生する再生手段と、
前記再生手段で再生する前記動画像の長さを計測する計測手段と、
前記動画像から所定の時間間隔で静止画像を抽出し、抽出した複数枚の静止画像を一覧画面にして出力可能な再生処理手段と、
前記所定の時間間隔で静止画像を複数枚抽出する際に必要となるシーンの長さより、前記動画像の長さが短い場合、前記一覧画面の出力を行わないように前記再生処理手段を制御する制御手段
とを備えることを特徴とする画像再生装置。
【請求項１０】
前記再生処理手段を動作させる為の操作を行う操作手段と、前記所定の時間間隔で静止画像を複数枚抽出する際に必要となるシーンの長さより、前記計測手段において計測された前記動画像の長さが短い場合に、前記操作手段における操作を制限する操作制限手段とを具備したことを特徴とする請求項９に記載の画像再生装置。
【請求項１１】
記憶媒体から画像データを再生する再生ステップと、
前記再生ステップで再生される前記画像データの再生時間を計測する計測ステップと、
前記再生時間を所定時間と比較する比較ステップと、
前期比較ステップの結果から、前記再生時間が前記所定時間より長い場合には、前記再生ステップで再生された再生画像データに特殊効果処理を施す特殊効果処理ステップ
とを具備することを特徴とする画像再生方法。
【請求項１２】
前記所定時間は、適用される特殊効果処理に要する時間に応じて設定されることを特徴とする請求項１１に記載の画像再生方法。
【請求項１３】
記憶媒体から動画像を再生する再生ステップと、
前記再生ステップで再生される前記動画像の長さを計測する計測ステップと、
前記動画像から所定の時間間隔で静止画像を抽出し、抽出した複数枚の静止画像を一覧画面にして出力可能な再生処理ステップと、
前記所定の時間間隔で静止画像を複数枚抽出する際に必要となるシーンの長さより、前記動画像の長さが短い場合には、前記一覧画面の出力を行わないように前記再生処理ステップを制御する制御ステップ
とを具備することを特徴とする画像再生方法。
【請求項１４】
記憶媒体から画像データを再生する再生手段と、
前記再生手段で再生する前記画像データの再生時間を所定の時間と比較する比較手段と、
前記再生手段で再生された再生画像データに特殊効果処理を施す特殊効果処理手段と、
前記比較手段における比較結果に応じて、前記画像データの再生時間が前記所定の時間より短いときは前記特殊効果処理手段における動作を無効化する制御手段
とを具備することを特徴とする画像再生装置。
【請求項１５】
前記所定の時間は、前記特殊効果処理手段で実行される特殊効果処理に応じて設定されることを特徴とする請求項１４に記載の画像再生装置。
【請求項１６】
前記特殊効果処理がフェード効果を含むことを特徴とする請求項１４又は１５に記載の画像再生装置。
【請求項１７】
記憶媒体から画像データを再生する再生ステップと、
前記再生ステップで再生する前記画像データの再生時間を所定の時間と比較する比較ステップと、
前記再生ステップで再生された再生画像データに特殊効果処理を施す特殊効果処理ステップと、
前記比較ステップにおける比較結果に応じて、前記画像データの再生時間が前記所定の時間より短いときは前記特殊効果処理ステップにおける動作を無効化する制御ステップ
とを具備することを特徴とする画像再生方法。
【請求項１８】
前記所定の時間は、前記特殊効果処理ステップで実行される特殊効果処理に応じて設定されることを特徴とする請求項１７に記載の画像再生方法。
【請求項１９】
前記特殊効果処理がフェード効果を含むことを特徴とする請求項１７又は１８に記載の画像再生方法。
【手続補正２】
【補正対象書類名】明細書
【補正対象項目名】０００８
【補正方法】変更
【補正の内容】
【０００８】
本発明に係る画像再生装置はまた、記憶媒体から動画像を再生する再生手段と、前記再生手段で再生する前記動画像の長さを計測する計測手段と、前記動画像から所定の時間間隔で静止画像を抽出し、抽出した複数枚の静止画像を一覧画面にして出力可能な再生処理手段と、前記所定の時間間隔で静止画像を複数枚抽出する際に必要となるシーンの長さより、前記動画像の長さが短い場合、前記一覧画面の出力を行わないように前記再生処理手段を制御する制御手段とを備えることを特徴とする。
本発明に係る画像再生方法は、記憶媒体から画像データを再生する再生ステップと、前記再生ステップで再生される前記画像データの再生時間を計測する計測ステップと、前記再生時間を所定時間と比較する比較ステップと、前期比較ステップの結果から、前記再生時間が前記所定時間より長い場合には、前記再生ステップで再生された再生画像データに特殊効果処理を施す特殊効果処理ステップとを具備することを特徴とする。
本発明に係る画像再生方法は、記憶媒体から動画像を再生する再生ステップと、前記再生ステップで再生される前記動画像の長さを計測する計測ステップと、前記動画像から所定の時間間隔で静止画像を抽出し、抽出した複数枚の静止画像を一覧画面にして出力可能な再生処理ステップと、前記所定の時間間隔で静止画像を複数枚抽出する際に必要となるシーンの長さより、前記動画像の長さが短い場合には、前記一覧画面の出力を行わないように前記再生処理ステップを制御する制御ステップとを具備することを特徴とする。
本発明に係る画像再生装置は、記憶媒体から画像データを再生する再生手段と、前記再生手段で再生する前記画像データの再生時間を所定の時間と比較する比較手段と、前記再生手段で再生された再生画像データに特殊効果処理を施す特殊効果処理手段と、前記比較手段における比較結果に応じて、前記画像データの再生時間が前記所定の時間より短いときは前記特殊効果処理手段における動作を無効化する制御手段とを具備することを特徴とする。
本発明に係る画像再生方法は、記憶媒体から画像データを再生する再生ステップと、前記再生ステップで再生する前記画像データの再生時間を所定の時間と比較する比較ステップと、前記再生ステップで再生された再生画像データに特殊効果処理を施す特殊効果処理ステップと、前記比較ステップにおける比較結果に応じて、前記画像データの再生時間が前記所定の時間より短いときは前記特殊効果処理ステップにおける動作を無効化する制御ステップとを具備することを特徴とする。